(57)【要約】【課題】  使用者の選択によって，バリア形態を変更することができるバリア装置およびこれを利用した立体映像表示装置を提供する。【解決手段】  立体映像表示装置は，表示パネル５００，バリア３００，制御部１００およびバリア駆動部２００を含む。表示パネル５００は，印加される映像信号に対応する映像を表示し，バリア３００は，第１基板３０１，第１電極３０４，第２電極３０６，第２基板３０２，第３電極３０８，第４電極３０９および液晶層３０３を含んで表示パネル５００と対応するように配置され，制御部１００は，バリアの形態を決定するバリア制御信号を生成し，バリア駆動部２００は，バリア制御信号に基づいて第１電極３０４，第２電極３０６，第３電極３０８および第４電極３０９のうちの一部電極には基準電圧を印加して残り電極には液晶駆動電圧を印加する。【選択図】図５Ａ
2006243710.tif 000002
【特許請求の範囲】
【請求項１】
印加される映像信号に対応する映像を表示する表示パネルと；
第１基板と，前記第１基板上に第１方向に形成される複数の第１電極と，前記第１基板上に各々隣接した前記第１電極の間に形成される複数の第２電極と，前記第１基板と対向する第２基板と，前記第２基板上に形成されて第１方向に垂直な方向である第２方向に形成される複数の第３電極と，前記第２基板上に各々隣接した前記第３電極の間に形成される複数の第４電極と，前記第１基板と第２基板との間に配置される液晶層とを含んで前記表示パネルと対応するように配置されるバリアと；
前記バリアの形態を決定するバリア制御信号を生成する制御部と；
前記バリア制御信号に基づいて前記第１電極，前記第２電極，前記第３電極および前記第４電極のうちの少なくとも１つの電極に基準電圧を印加し，他の電極に液晶駆動電圧を印加するバリア駆動部と；
を含むことを特徴とする，立体映像表示装置。
【請求項２】
前記バリアは，前記複数の第１電極の一端に連結される第１連結電極をさらに含み，前記バリア駆動部は，前記第１連結電極を通じて前記複数の第１電極各々に前記基準電圧または前記液晶駆動電圧を印加することを特徴とする，請求項１に記載の立体映像表示装置。
【請求項３】
前記バリアは，前記複数の第２電極の一端に連結される第２連結電極をさらに含み，前記バリア駆動部は，前記第２連結電極を通じて前記複数の第２電極各々に前記基準電圧または前記液晶駆動電圧を印加することを特徴とする，請求項1または２に記載の立体映像表示装置。
【請求項４】
前記バリアは，前記複数の第３電極の一端に連結される第３連結電極をさらに含み，前記バリア駆動部は，前記第３連結電極を通じて前記複数の第３電極各々に前記基準電圧または前記液晶駆動電圧を印加することを特徴とする，請求項１〜３のいずれかに記載の立体映像表示装置。
【請求項５】
前記バリアは，前記複数の第４電極の一端に連結される第４連結電極をさらに含み，前記バリア駆動部は，前記第４連結電極を通じて前記複数の第４電極各々に前記基準電圧または前記液晶駆動電圧を印加することを特徴とする，請求項１〜４のいずれかに記載の立体映像表示装置。
【請求項６】
前記バリア制御信号は，前記バリアの形態を帯状形態またはジグザグ形態に決定する信号であることを特徴とする，請求項１〜５のいずれかに記載の立体映像表示装置。
【請求項７】
前記バリア駆動部は，前記帯状形態のバリア制御信号に基づいて，前記第１電極および前記第２電極に前記基準電圧を印加し，前記第３電極または前記第４電極に前記液晶駆動電圧を印加することを特徴とする，請求項６に記載の立体映像表示装置。
【請求項８】
前記バリア駆動部は，前記ジグザグ形態のバリア制御信号に基づいて，前記第１電極および前記第３電極に前記基準電圧を印加し，前記第２電極および前記第４電極に前記液晶駆動電圧を印加する請求項６に記載の立体映像表示装置。
【請求項９】
前記基準電圧は接地電圧であり，前記液晶駆動電圧は特定周波数で正の電圧と負の電圧に反転される電圧であることを特徴とする，請求項１〜８のいずれかに記載の立体映像表示装置。
【請求項１０】
前記表示パネルは，縦長形または横長形の形態を選択可能で，前記表示パネルの形態に基づいて前記バリア制御信号が決定されることを特徴とする，請求項１〜９のいずれかに記載の立体映像表示装置。
【請求項１１】
両眼視差を利用して立体映像を表示する立体映像表示パネルに付着されて使用されるバリア装置であって，
複数の第１電極および複数の第２電極が形成された第１基板と，複数の第３電極および複数の第４電極が形成された第２基板と，前記第１基板と第２基板の間に封止された液晶層とを含むバリアと；
前記第１電極，前記第２電極，前記第３電極および前記第４電極のうちの一部電極には，第１駆動電圧を印加し，残り電極には，第２駆動電圧を印加するバリア駆動部と；
バリアの形態を決定するバリア制御信号を生成して前記バリア駆動部に伝達する制御部と；
を含むことを特徴とする，バリア装置。
【請求項１２】
前記第１電極と前記第２電極は，互いに交互に平行配置され，前記第３電極と前記第４電極は，互いに交互に平行配置され，前記第１電極と前記第３電極は，互いに直交するように配置されることを特徴とする，請求項１１に記載のバリア装置。
【請求項１３】
前記バリア駆動部は，前記第１電極および前記第２電極に第１駆動電圧を印加し，前記第３電極または前記第４電極に第２駆動電圧を印加することを特徴とする，請求項１１または１２に記載のバリア装置。
【請求項１４】
前記バリア駆動部は，前記第１電極および前記第３電極に第１駆動電圧を印加し，前記第２電極および前記第４電極に第２駆動電圧を印加することを特徴とする請求項１１〜１３のいずれか，に記載のバリア装置。
【請求項１５】
入力される映像信号が表示される表示パネルおよび前記表示パネルと対応するように配置されるバリアを含む立体映像表示装置の駆動方法において，
前記バリアは，
第１方向に伸び，所定の間隔で離隔し，配置される複数の第１電極および前記第１電極の間に各々配置される複数の第２電極が形成された第１基板と；
前記第１方向と垂直な第２方向に伸び，所定の間隔で離隔し，配置される複数の第３電極および前記第３電極の間に各々配置される複数の第４電極が形成された第２基板と；
前記第１基板と前記第２基板の間に封止される液晶層と；
を含み，
（ａ）前記第１電極および前記第２電極に第１駆動電圧を印加し，同時に前記第３電極または前記第４電極に第２駆動電圧を印加する段階と；
（ｂ）前記映像信号が前記表示パネルに表示される段階と；
（ｃ）前記第１電極および前記第３電極に第１駆動電圧を印加し，同時に前記第２電極および前記第４電極に第２駆動電圧を印加する段階と；
（ｄ）前記映像信号が前記表示パネルに表示される段階と；
を含むことを特徴とする，立体映像表示装置の駆動方法。
【請求項１６】
前記第１駆動電圧は，接地電圧であり，前記第２駆動電圧は,前記液晶層を駆動する液晶駆動電圧であることを特徴とする，請求項１５に記載の立体映像表示装置の駆動方法。
【請求項１７】
前記バリアは，
前記第２方向に伸び，前記第１電極の一端を連結して，前記第１電極を電気的に連結する第１連結電極と；
前記第２方向に伸び，前記第２電極の一端を連結して，前記第２電極を電気的に連結して前記第１連結電極と対向するように配置される第２連結電極と；
をさらに含み，
前記（ａ）段階で，前記第１連結電極および前記第２連結電極に前記第１駆動電圧を印加し，前記（ｃ）段階で，前記第１連結電極に前記第１駆動電圧を印加して，前記第２連結電極に前記第２駆動電圧を印加することを特徴とする，請求項１５に記載の立体映像表示装置の駆動方法。
【請求項１８】
前記バリアは，
前記第１方向に伸び，前記第３電極の一端を連結して，前記第３電極を電気的に連結する第３連結電極と；
前記第１方向に伸び，前記第４電極の一端を連結して，前記第４電極を電気的に連結して前記第３連結電極と対向するように配置される第４連結電極と；
をさらに含み，
前記（ａ）段階で，前記第３連結電極または前記第４連結電極に前記第２駆動電圧を印加し，前記（ｃ）段階で，前記第３連結電極に前記第１駆動電圧を印加して，前記第４連結電極に前記第２駆動電圧を印加することを特徴とする，請求項１５に記載の立体映像表示装置の駆動方法。
【発明の詳細な説明】
【技術分野】
【０００１】
本発明はバリア装置，これを利用した立体映像装置およびその駆動方法にかかり，特にバリア，つまり希望する光透過パターンを実現するシャッター集合を利用したバリア装置，これを利用した立体映像装置およびその駆動方法に関する。
【背景技術】
【０００２】
一般に，人が立体感を感じる要因は，生理的な要因と経験的な要因があるが，３次元映像表示技術では，一般に近距離で立体感を認識する最も大きい要因である両眼視差を利用して物体の立体感を感じるようになる。このような両眼視差を利用する方式には，大きく分けて，眼鏡を着用する眼鏡着用方式（眼鏡方式）と眼鏡を着用しない眼鏡非着用方式（眼鏡不要方式）がある。
【０００３】
眼鏡を着用する方式は，両眼に各々青色と赤色の色眼鏡をかけるアナグリフ（ａｎａｇｌｙｐｈ）方式と，各々偏光方向が異なる偏光眼鏡を使う偏光方式，そして時間分割された画面を周期的に反復させて，この周期に同期させた電子シャッターが設置された眼鏡をかける時分割方式がある。しかし，眼鏡を着用する方式は，眼鏡を使う不便と眼鏡をかけた状態で画像以外の他の事物を観察することに支障を受ける等の問題点がある。したがって，最近は眼鏡を着用しない方式に対する研究が活発に進められている。
【０００４】
眼鏡を着用しない眼鏡非着用方式では，一般に言うバリア，つまり希望する光透過パターンを実現するシャッター集合，を利用して左眼映像と右眼映像を分離して立体効果を出す。
【０００５】
このような，表示パネルが発する左または右の画像光線を選択的に遮断するために用いるバリアには，光路を閉ざす不透明領域（シャッター閉）と光路に実質的な影響を与えない透明領域（シャッター開）が反復配列されていて，映像パネルでは，右眼に対応するピクセルと，左眼に対応するピクセルに形成される。
【０００６】
観察者は，両眼でバリアの透明領域を通して，映像パネルに表示される画像を見るようになるが，観察者の左眼と右眼は，同一な透明領域を通しても，各々映像パネルの異なる領域を見るようになる。
【０００７】
バリアに不透明領域と透明領域を配列する形態としては，帯状形態とジグザグ形態がある。帯状形態のバリアでは，一方向に長く伸びている不透明領域と透明領域が交互に形成される。このような帯状形態のバリアは，水平解像度が垂直解像度のほぼ半分程度しかならないという問題点がある。また，表示映像に縦方向の縞ができ，目に負担を与えるという問題点がある。また，最近は，ゲームをしたり，ＴＶ，動映像などを見たり，デジタルカメラが内蔵されていたりする場合に，広い画面を見ることができるようにするため，横方向に長い横長形態と縦方向に長い縦長形態との２種類の画面を見ることができるように，画面を垂直に回して見ることができる表示装置が開発されている。しかし現状では，図３Ａのようなバリアは，縦長形態と横長形態のうちのいずれか一方のみに適合するものだけが製作可能であって，縦長形態に合うバリアを製作した場合，横長形態の画面では，立体映像を見ることができない問題点がある。
【０００８】
このような問題点を解決するために，不透明領域および透明領域がジグザグ形態に構成されたバリアが開発された。
【発明の開示】
【発明が解決しようとする課題】
【０００９】
しかし，このようなジグザグ形態のバリアは，水平解像度は良くなるが，視野角が狭くなるという問題点がある。また，表示画面が縦長形態である時も横長形態である時も使用することはできるが，バリアの表示形態（光透過パターン）が固定されていて表示画面が横長形態に変更された時，表示パネルの左眼ピクセルと右眼ピクセルの位置，バリアの不透明領域と透明領域の位置によって，立体映像をうまく表示できない場合もある。
【００１０】
そこで，このような問題点は，立体映像表示装置の汎用化の障害になっている。したがって，多様な形態の立体映像を表現することができるバリアの開発が要求されるている。
【００１１】
本発明は，従来のバリア装置，これを利用した立体映像装置およびその駆動方法が有する上記問題点に鑑みてなされたものであり，本発明の目的は，バリアの電極に印加する電圧を変化させることによって，帯状形態およびジグザグ形態のバリアを利用者の選択によって変更することの可能な，新規かつ改良されたバリア装置，これを利用した立体映像装置およびその駆動方法を提供することである。
【課題を解決するための手段】
【００１２】
上記課題を解決するため，本発明の第１の観点によれば，印加される映像信号に対応する映像を表示する表示パネルと，第１基板と，第１基板上に第１方向に形成される複数の第１電極と，第１基板上に各々隣接した第１電極の間に形成される複数の第２電極と，第１基板と対向する第２基板と，第２基板上に形成されて第１方向に垂直な方向である第２方向に形成される複数の第３電極と，第２基板上に各々隣接した第３電極の間に形成される複数の第４電極と，第１基板と第２基板との間に配置される液晶層とを含んで表示パネルと対応するように配置されるバリアと，バリアの形態を決定するバリア制御信号を生成する制御部と，バリア制御信号に基づいて前記第１電極，第２電極，第３電極および第４電極のうちの少なくとも１つの電極に基準電圧を印加し，他の電極に液晶駆動電圧を印加するバリア駆動部とを含む立体映像表示装置が提供される。
【００１３】
バリア制御信号は，バリアの形態を帯状形態またはジグザグ形態に決定する信号であり，バリア駆動部は帯状形態のバリア制御信号に応答して，第１電極および第２電極に基準電圧を印加すると共に第３電極または第４電極に液晶駆動電圧を印加し，ジグザグ形態のバリア制御信号に応答して，第１電極および第３電極に基準電圧を印加すると共に第２電極および第４電極に液晶駆動電圧を印加する。基準電圧は接地電圧であり，液晶駆動電圧は特定周波数で正の電圧と負の電圧に反転される電圧でありうる。
【００１４】
表示パネルは，縦長形または横長形の形態を選択可能で，表示パネルの形態に基づいて前記バリア制御信号が決定されることができる。
【００１５】
また，本発明の他の観点によれば，バリア装置は，両眼視差を利用して立体映像を表示する立体映像表示パネルに装着して使用されるバリア装置であって，複数の第１電極および複数の第２電極が形成された第１基板と，複数の第３電極および複数の第４電極が形成された第２基板および第１基板と第２基板の間に封止される液晶層を含むバリアと，第１電極，第２電極，第３電極および第４電極のうちの一部電極には，第１駆動電圧を印加して残り電極には第２駆動電圧を印加するバリア駆動部と，バリアの形態を決定するバリア制御信号を生成して，バリア駆動部に伝達する制御部とを含む。
【００１６】
また，本発明の他の観点によれば，立体映像表示装置の駆動方法は，印加される映像信号が表示される表示パネルおよび表示パネルと対応するように配置されるバリアを含む立体映像表示装置の駆動方法であって，バリアは第１方向に伸びて所定の間隔で離隔して配置される複数の第１電極および第１電極の間に各々配置される複数の第２電極が形成された第１基板と，第１方向と垂直な第２方向に伸びて所定の間隔で離隔して配置される複数の第３電極および第３電極の間に各々配置される複数の第４電極が形成された第２基板と，第１基板と第２基板の間に封止される液晶層とを含み，第１電極および第２電極に第１駆動電圧を印加し，同時に第３電極または第４電極に第２駆動電圧を印加する（ａ）段階と，映像信号が表示パネルに表示される（ｂ）段階と，第１電極および第３電極に第１駆動電圧を印加し，同時に第２電極および第４電極に第２駆動電圧を印加する（ｃ）段階と，映像信号が表示パネルに表示される（ｄ）段階を含む。
【発明の効果】
【００１７】
以上のように，本発明によれば，バリアの電極に印加する電圧を変化させることによって，帯状形態およびジグザグ形態のバリアを選択的に実現することができる。また，モバイル立体表示装置に適用する時，縦長はもちろん横長形態に表示画面に適したバリアを実現することができる。
【発明を実施するための最良の形態】
【００１８】
以下に添付図面を参照しながら，本発明にかかるバリア装置，これを利用した立体映像装置およびその駆動方法の好適な実施形態について詳細に説明する。なお，本明細書および図面において，実質的に同一の機能構成を有する構成要素については，同一の符号を付することにより重複説明を省略する。
【００１９】
（第１実施形態）
図１は，本発明の第１実施形態による立体映像表示装置を概略的に示すブロック図である。
【００２０】
立体映像表示装置は，制御部１００，バリア駆動部２００，バリア３００，表示パネル駆動部４００および表示パネル５００を含む。
【００２１】
制御部１００は，映像信号ＲＧＢデータ，水平同期信号Ｈ_ｓｙｎｃ，垂直同期信号Ｖ_ｓｙｎｃを受信し，バリア制御信号および表示パネル制御信号を生成してバリア駆動部２００および表示パネル駆動部４００に各々伝達する。
【００２２】
表示パネル駆動部４００は，制御部１００から表示パネル制御信号を受信して表示パネル５００を駆動する。また，表示パネル駆動部４００は，印加される映像信号ＲＧＢデータを表示パネル５００に正常に表示できるように表示パネル５００を駆動する。表示パネル５００は，一般の映像表示用パネルを利用できる。具体的には，表示パネル５００は，印加された立体映像信号ＲＧＢデータに対応して，左眼映像と右眼映像を分離して時分割表示できる表示パネルであって，液晶表示パネル，プラズマ表示パネル，発光表示パネルなどが利用できる。
【００２３】
バリア駆動部２００は，制御部１００から制御信号を受信してバリア３００を駆動する。また，バリア駆動部２００は，制御部１００で決定されたバリア３００の表示形態に基づいてバリア３００が，帯状形態またはジグザグ形態になるようにバリア３００を駆動する。
バリア３００は，帯状形態またはジグザグ形態で，動作できる電極構造を有する。このようなバリア３００の構造に対して，図２，図３Ａおよび図３Ｂを参照して以下に説明する。
【００２４】
図２は，本実施形態によるバリア３００の断面図，図３Ａは，第１基板３０１に形成された電極の構造・配列を具体的に示す正面図，図３Ｂは，第２基板３０２に形成された電極の構造・配列を具体的に示す正面図である。
【００２５】
図２に示されているように，バリア３００は，先ず任意の間隔で対向配置される第１基板３０１および第２基板３０２を含む。本実施形態で第１基板３０１，第２基板３０２は略長方形の形態のガラス基板で作られるが，プラスチック基板を用いてもよい。
【００２６】
ここで第１基板３０１と第２基板３０２が互いに対向するそれぞれの面には，第１基板３０１と第２基板３０２の間に配置される液晶３０３を駆動させるための，複数の電極３０４〜３０９が形成される。液晶３０３は電極間電界に応じて，透明または不透明になるタイプ，透過光の偏光軸を回転させるタイプなどがあり，後のタイプでは，図２のバリア装置の両面に偏光板を置き，両偏光板の偏光軸が互いに直交するように配置すれば，実質的に透明または不透明になるタイプと同様に使用できる。この透明・不透明変化により両面電極で挟まれた液晶は，印加電界毎のドメインを光シャッター単位として動作する。なお，表示パネルが偏光液晶を利用している場合には，表示パネルと偏光型バリアとの偏光特性を適合させる必要がある。また，電極３０４〜３０９はインジウム錫酸化物（ＩＴＯ）のような透明導電物質で形成することができる。以下に電極について具体的に説明する。
【００２７】
図２および図３Ａに示すように，第１基板３０１上に形成される複数の第１電極３０４は，第１基板３０１の第１方向，例えば，第１基板３０１の短辺に沿った方向（図３ＡのＸ軸方向）に長く配置されている。第１電極３０４は帯状パターンを形成しながら，その間に任意の間隔をおいて，第１基板３０１に配列される。また，第１基板３０１上には，第１連結電極３０５が第１方向と垂直な第２方向，例えば第１基板３０１の長辺に沿った方向（図３ＡのＹ軸方向）に長く伸びていて，各第１電極３０４の一端に接続される。そして，第１電極３０４および第１連結電極３０５は，第１電極セットＳｅｔ１を形成する。
【００２８】
同様に，第１基板３０１上には，第２電極３０６および第２連結電極３０７に形成された第２電極セットＳｅｔ２がさらに形成される。具体的に第１基板３０１上に形成される複数の第２電極３０６は，第１基板３０１の第１方向，例えば，第１基板３０１の短辺に沿った方向（図３ＡのＸ軸方向）に長く配置されている。第２電極３０６は，帯状パターンを形成しながら，第１電極３０４の間に各々配列される。また，第１基板３０１上には，第２連結電極３０７が第１方向と垂直な第２方向，例えば，第１基板３０１の長辺に沿った方向（図３ＡのＹ軸方向）に長く伸びていて，各第２電極３０６の一端に接続される。第１電極セットＳｅｔ１の第１連結電極３０５と第２電極セットＳｅｔ２の第２連結電極３０７は，対向して配列され，第１連結電極３０５と第２連結電極３０７の間の空間には，第１電極３０４と第２電極３０６が交互になるように配置される。つまり，第１連結電極３０５と第２連結電極３０７に接続される第１電極３０４と第２電極３０６は，互いに反対方向に配列される。例えば，第１電極３０４は，図３ＡのＸ軸の正の方向に，第２電極３０６は，図３ＡのＸ軸の負の方向に向かって伸びている。
【００２９】
第１電極セットＳｅｔ１および第２電極セットＳｅｔ２は，隣接した第１電極３０４と第２電極３０６の間の所定間隔を除いて，表示パネル５００の表示領域に対応する領域全体を実質的に覆うように形成される。
【００３０】
同様に，図２および図３Ｂに示されているように，第２基板３０２上には，第１基板３０１を対向する面で第３電極セットＳｅｔ３と第４電極セットＳｅｔ４が形成される。
【００３１】
第３電極セットＳｅｔ３および第４電極セット４は，第２基板３０２の一方向に沿って，任意の間隔を間に置いて配置される複数の第３電極３０８，第４電極３０９，各第３電極３０８を連結する第３連結電極３１０および各第４電極３０９を接続する第４連結電極３１１を含む。
【００３２】
ここで，第３電極３０８と第４電極３０９は，第１電極３０４，第２電極３０６とは違って，第１方向（図３ＢのＸ軸）に対して垂直方向の第２方向（図３ＢのＹ軸）に沿って帯状パターンで配置される。つまり，第１電極３０４，第２電極３０６と第３電極３０８，第４電極３０９は，互いに垂直になるように，第１基板３０１と第２基板３０２が結合された時，交差配置される。具体的には，図３Ａと図３Ｂに示すように，第１基板は，第１方向（Ｘ軸）に沿って電極が配列され，複数の電極により，第２方向（Ｙ軸）に帯状パターンとなる。一方，第２基板は，第２方向（Ｙ軸）に沿って電極が配列され，複数の電極により，第１方向（Ｘ軸）に帯状パターンとなる。第１基板と第２基板とをＸ軸とＹ軸を考慮し，結合することにより，形成される帯状パターンは，互いに垂直となる。
【００３３】
第３電極セットＳｅｔ３および第４電極セットＳｅｔ４は，隣接した第３電極３０８と第４電極３０９の間の所定間隔を除いて，表示パネル５００の表示領域に対応する領域全体を実質的に覆うように形成される。
【００３４】
次に，本実施形態において，バリア駆動部２００が，バリア３００を駆動する駆動方法について，図４Ａ〜図４Ｃおよび図５Ａ〜図５Ｃを参照して詳細に説明する。以下，バリア３００の液晶が，ノーマリーブラック（シャッター閉）状態である場合に仮定して説明し，ノーマリーホワイト（シャッター開）状態である場合には，不透明領域と透明領域がノーマリーブラック状態と反対になる。
【００３５】
まず，バリア駆動部２００が，バリア３００を帯状形態に駆動する場合に対して，図４Ａ〜図４Ｃを参照して説明する。
【００３６】
図４Ａおよび図４Ｂは，バリア３００の各電極に印加される電圧を示す説明図であり，図４Ｃは，帯状形態に駆動されたバリア３００を示す説明図である。
【００３７】
図４Ａおよび図４Ｂのように，バリア駆動部２００は，第１基板３０１の第１電極セットＳｅｔ１および第２電極セットＳｅｔ２に，第１駆動電圧である基準電圧を印加し，第２基板３０２の第３電極セットＳｅｔ３または第４電極セットＳｅｔ４に第２駆動電圧である液晶駆動電圧を印加する。本実施形態では，第４電極セットＳｅｔ４に液晶駆動電圧を印加する場合について説明するが，第３電極セットＳｅｔ３に液晶駆動電圧を印加することもできる。ここで，基準電圧は接地電圧とする。液晶駆動電圧は，図４Ｂに示されているように特定周波数で正電圧と負電圧に反転する電圧でありうる。
【００３８】
このように駆動することによって，第１基板３０１の表示領域を実質的に覆っている第１Ｓｅｔ１および第２電極セットＳｅｔ２は，共通電極としての役割を果たして，第２基板３０２の第４電極セットＳｅｔ４は，液晶を駆動する電極としての役割を果たす。バリア３００の液晶が，ノーマリーブラック状態であるので第４電極領域は透明領域になり，第３電極領域は不透明領域になる。したがって，バリア３００は，図４Ｃに示されているように透明領域がＹ方向に長く形成された帯状形態のバリアとして駆動される。
【００３９】
次に，バリア駆動部２００が，バリア３００をジグザグ形態に駆動する場合に対して，図５Ａ〜図５Ｃを参照して説明する。
【００４０】
図５Ａおよび図５Ｂは，バリア３００の各電極に印加される電圧を示す説明図であり，図５Ｃは印加された電圧によって，ジグザグ形態に駆動されたバリア３００の一部を概略的に示す説明図である。
【００４１】
図５Ａおよび図５Ｂのように，バリア駆動部２００は，第１基板３０１の第２電極セットＳｅｔ２および第２基板３０２の第３電極セットＳｅｔ３には基準電圧を印加し，第１基板３０１の第１電極セットＳｅｔ１および第２基板３０２の第４電極セットＳｅｔ４には液晶駆動電圧を印加する。
【００４２】
このように駆動することによって，図５Ｃに示されているように，基準電圧が印加される第２電極３０６と第３電極３０８が重なる領域には電圧差がなく，ノーマリーブラック状態であるバリア３００の第２電極３０６と第３電極３０８が重なる領域は，不透明領域になる。同様に液晶駆動電圧が印加される第１電極３０４と第４電極３０９が重なる領域においても電圧差がなく，ノーマリーブラック状態であるバリア３００の第１電極３０４と第４電極３０９が重なる領域は，不透明領域になる。
【００４３】
一方，基準電圧が印加される第２電極３０６と液晶駆動電圧が印加される第４電極３０９が重なる領域では，電圧差が発生して液晶が駆動されるので，バリア３００の第２電極３０６と第４電極３０９が重なる領域は，透明領域になる。同様に液晶駆動電圧が印加される第１電極３０４と基準電圧が印加される第３電極３０８が重なる領域では，電圧差が発生して液晶が駆動されるので，バリア３００の第１電極３０４と第３電極３０８が重なる領域は，透明領域になる。
【００４４】
このように，光を遮断する不透明領域の形状がジグザグ模様で形成されるために，水平方向に解像度を高めることができるジグザグ形態のバリアとなる。ジグザグ形態とは，図５Ｃに示すように，例えば，略矩形の透明領域と不透明領域とが，長辺方向と短辺方向とにそれぞれ交互に配列されている形態のことである。
【００４５】
（第２実施形態）
次に，第２実施形態おいて，バリア駆動部２００がバリア３００を駆動する駆動方法について，図６および図７を参照して詳細に説明する。
【００４６】
上記の第１実施形態は，表示画面が縦方向に長い表示形態である縦長形態の場合におけるバリアの駆動方法に関するもので，本実施形態は，表示画面が横方向に長い表示形態である横長形態の場合におけるバリアの駆動方法に関する。したがって，図６および図７は，図４Ｃおよび図５Ｃが，９０゜回転した横長形態であり，Ｘ軸が縦方向を表示して，Ｙ軸が横方向を表示する。なお，上記の第１実施形態のバリア駆動信号群と以下に記す第２実施形態のバリア駆動信号群の一方を，表示画面回転運動に連動するスイッチで選択し，表示画面回転に応じて，適切なバリア駆動信号を自動的に選択することが便利であるが，特殊な用途に備え，自動切換えを無効にして，強制的に縦長用の上記の第１実施形態のバリア駆動信号群または横長用の下記第２実施形態のバリア駆動信号群を選択できるスイッチを追加すると一層便利である。
【００４７】
図６は，第２実施形態によって帯状形態に駆動されたバリア３００を示す説明図である。
【００４８】
バリア駆動部２００は，第１基板３０１の第１電極セットＳｅｔ１または第２電極セットＳｅｔ２，例えば第２電極セットＳｅｔ２に液晶駆動電圧を印加し，第２基板３０２の第３電極セットＳｅｔ３および第４電極セットＳｅｔ４に基準電圧を印加する。
【００４９】
このように駆動することによって，第２基板３０２の表示領域を実質的に覆っている第３電極セットＳｅｔ３および第４電極セットＳｅｔ４は，共通電極としての役割を果たして，第１基板３０１の第２電極セットＳｅｔ２は，液晶を駆動する電極としての役割を果たす。バリア３００の液晶は，ノーマリーブラック状態であるので，第２電極領域は，透明領域になって，第１電極領域は，不透明領域になる。
【００５０】
したがって，バリア３００は，図６に示されているように透明領域がＸ方向に長く形成された帯状形態，つまり，図４Ｃに示された縦長形態の画面を９０゜回転した横長形態の表示画面に適したバリアに駆動される。
【００５１】
図７は，第２実施形態によってジグザグ形態に駆動されたバリア３００を示す説明図である。
【００５２】
バリア駆動部２００は，第１基板３０１の第２電極セットＳｅｔ２および第２基板３０２の第４電極セットＳｅｔ４には，基準電圧を印加し，第１基板３０１の第１電極セットＳｅｔ１および第２基板３０２の第３電極セットＳｅｔ３には，液晶駆動電圧を印加することができる。
【００５３】
このように駆動することによって，図７に示されているように，基準電圧が印加される第２電極３０６と第４電極３０９が重なる領域には電圧差がないので，液晶がノーマリーブラック状態であるバリア３００の第２電極３０６と第４電極３０９が重なる領域は，不透明領域になる。同様に液晶駆動電圧が印加される第１電極３０４と第３電極３０８が重なる領域においても電圧差がないのでバリア３００の第１電極３０４と第３電極３０８が重なる領域は，不透明領域になる。
【００５４】
一方，基準電圧が印加される第２電極３０６と液晶駆動電圧が印加される第３電極３０８が重なる領域では，電圧差が発生して液晶が駆動されるので，バリア３００の第２電極３０６と第３電極３０８が重なる領域は，透明領域になる。同様に液晶駆動電圧が印加される第１電極３０４と基準電圧が印加される第４電極３０９が重なる領域では，電圧差が発生して液晶が駆動されるので，バリア３００の第１電極３０４と第４電極３０９が重なる領域は，透明領域になる。
【００５５】
このように，バリア３００は，図７に示されているようにジグザグ形態のバリアになる。図５Ｃの縦長形態の画面を９０゜回転した横長形態の表示画面に適したバリアに駆動される。また，基準電圧を印加する電極と液晶駆動電圧を印加する電極を引き換えることによって同一の縦長形態においても透明領域と不透明領域との位置を調節することによって使用者の位置によって最適の立体映像を見ることができるように選択できる。
【００５６】
また，本発明の変形を考えると，通常の映像表示パネルの画面を格子状に区画し，各格子を上記の本発明による光シャッター単位として考え，シャッター閉ならば発光停止，シャッター開ならば所定輝度で発光するように，表示するべき映像信号を変調して，本発明のバリア装置を省略することもできる。
【００５７】
以上，添付図面を参照しながら本発明にかかるバリア装置，これを利用した立体映像装置およびその駆動方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【００５８】
本発明のバリア装置，これを利用した立体映像装置およびその駆動方法は，バリアの電極に印加する電圧を変化させることによって，帯状形態およびジグザグ形態のバリアを選択的に実現することができ，モバイル立体表示装置に適用する時，縦長はもちろん横長形態に表示画面に適したバリアを実現することができるので，３次元映像表示技術の製造の分野で利用可能である。
【図面の簡単な説明】
【００５９】
【図１】第１実施形態による立体映像表示装置の構成を概略的に示すブロック図である。
【図２】第１実施形態によるバリアの断面図である。
【図３Ａ】第１基板に形成された電極の構造，配列を具体的に示す正図面である。
【図３Ｂ】第２基板に形成された電極の構造，配列を具体的に示す正図面である。
【図４Ａ】第１実施形態によるバリアの各電極に印加される電圧を示す説明図である。
【図４Ｂ】第１実施形態によるバリアの各電極に印加される電圧を示す説明図である。
【図４Ｃ】第１実施形態によるバリアが帯状形態に駆動された例を示す説明図である。
【図５Ａ】第１実施形態によるバリアの各電極に印加される電圧を示す説明図である。
【図５Ｂ】第１実施形態によるバリアの各電極に印加される電圧を示す説明図である。
【図５Ｃ】第１実施形態によるバリアがジグザグ形態に駆動された例を概略的に示す説明図である。
【図６】第２実施形態によるバリアが帯状形態に駆動された例を示す図面である。
【図７】第２実施形態によるバリアがジグザグ形態に駆動された例を概略的に示す図面である。
【符号の説明】
【００６０】
１００  制御部
２００  バリア駆動部
３００  バリア
３０１  第１基板
３０２  第２基板
３０３  液晶
３０４  第１電極
３０５  第１連結電極
３０６  第２電極
３０７  第２連結電極
３０８  第３電極
３０９  第４電極
３１０  第３連結電極
３１１  第４連結電極
４００  表示パネル駆動部
５００  表示パネル
Ｓｅｔ１  第１電極セット
Ｓｅｔ２  第２電極セット
Ｓｅｔ３  第３電極セット
Ｓｅｔ４  第４電極セット
ＲＧＢデータ  映像信号
Ｖ_ｓｙｎｃ  垂直同期信号
Ｈ_ｓｙｎｃ  水平同期信号
【図１】
2006243710.tif 000003
【図２】
2006243710.tif 000004
【図３Ａ】
2006243710.tif 000005
【図３Ｂ】
2006243710.tif 000006
【図４Ａ】
2006243710.tif 000007
【図４Ｂ】
2006243710.tif 000008
【図４Ｃ】
2006243710.tif 000009
【図５Ａ】
2006243710.tif 000010
【図５Ｂ】
2006243710.tif 000011
【図５Ｃ】
2006243710.tif 000012
【図６】
2006243710.tif 000013
【図７】
2006243710.tif 000014